(57)【要約】【課題】  メガネやブローチ、首飾りなどのように身に付けたり、腕時計や携帯電話のように携帯するこれらの小物の携帯品で、高価な物は、これまでケースなどに保管され、ユーザはケースガラスや、ケースプラスチック越しに商品を見て、判断して購入するしかなかった。そこで盗難問題もスマートに解決し、自然体で身近にこれら商品を見てもらい、納得して購入してもらえる展示用支持装置の開発が課題となっていた。【解決手段】  そこで本願では、展示する携帯品を、全体として見やすく展示しながらこうした携帯品の要部を挟んで取り外しできないようにし、なおかつその状態をキーロックできる展示用支持装置を開発した。【選択図】図１
2010082406.tif 000002
【特許請求の範囲】
【請求項１】
メガネ、腕時計、携帯電話等身に着けたり、携帯して持ち歩く携帯品の展示用支持装置に於いて、ユーザが直接手に触れてみることができるように、該携帯品の要部を挟み、キーロックできる構成を備え、盗難防止の機能を持つようにしたことを特徴とする携帯品の展示用支持装置
【請求項２】
前記携帯品の前記要部の挟み込みは、固定係止部材と、作動係止部材によって行うことを特徴とする請求範囲第１項に示した展示用支持装置
【請求項３】
前記携帯品を複数個同時に展示するための展示骨格部を持ち、該展示骨格部には、前記固定係止部材を、該複数個固定設置し、一方該固定係止部材に対応する作動係止部材を複数個備えた作動部材を設け、一度に解除するように構成したことを特徴とする請求範囲第１項に示した携帯品の展示用支持装置
【請求項４】
前記携帯品は、前記メガネであって、前記挟み込む要部は、該メガネのブリッジ部であることを特徴とする請求範囲第１項に示した携帯品の展示用支持装置
【請求項５】
前記携帯品は、前記腕時計であって、前記挟み込む要部は該腕時計の文字盤外装部であること特徴とする請求範囲第１項に示した携帯品の展示用支持装置
【請求項６】
前記携帯品は、前記携帯電話であって、前記挟み込む要部は携帯操作部であること特徴とする請求範囲第１項に示した携帯品の展示用支持装置
【発明の詳細な説明】
【技術分野】
【０００１】  本発明は、メガネや、腕時計、携帯電話などの身に付けたり携帯して持ち歩く携帯品の展示用支持装置に関する。
【背景の技術】
【０００２】  こうした携帯品をはじめとする多くの商品は、新しい付加機能を云々する時代ではなくなり、デザインやそれを身に付けた時のトータルファッション性が問われる時代になっている。従ってこうした商品を販売する時の店舗内に於ける展示用支持装置なども工夫することが求められるが、現状の技術は、旧来どおりのもので例えば、メガネを例にとると、「メガネ」と「展示」というキーワードでは、特許や実用新案がヒットしないという現状である。
【０００３】  「時計」と「展示」で見ると何点かヒットするが、あまり参考になるようなものは見当たらない。
【特許文献１】特開２００４−２１２２６６
【特許文献２】特開２００８−８０１０７
【発明の開示】
【発明が解決しようとする課題】
【０００４】  メガネや腕時計などの数万円以上の値段の高級品に属する携帯品は、通常店舖に展示するときには、盗難問題を考え、陳列ケース内に展示するのが一般的に行われている。しかしこの方法では、商品そのものを身近に見せることができない。雑誌や新聞、ＴＶなどの広告宣伝によって目当ての商品を求める場合や、必要性があって入手したいという強力な購入動機がある場合など、そうした陳列ケース内に展示しているものでも目に止めることがあるが、そうでもない限り、陳列ケースの中に置くだけでは強力な購買への訴えとはならない。【０００５】  さりとて、ユーザが触れる所に置く時には、お店としては、顧客に１対１で接客できるだけの店員を配置することが必要となる。そこで、店舗内に入った顧客が、商品を手に触れて見ことができ、なおかつ、盗難の心配もない展示用支持装置がこうした携帯品でも求められていた。メガネ、腕時計、携帯電話等は身に付けたり、携帯する小物だけに盗難の心配のない展示装置が求められて来た。【０００６】  携帯電話などで一方を固定した鎖につないで、もう一方に携帯電話のストラップ用の留め具につなぎ、盗難防止を計りながら、手に触れることができるようにした例もあるが、その場合、あまりに盗難防止が露骨だし、大々にして手に触れた後の携帯電話は好き勝手な方向を向いて放り出されている。これでは、手に触れることはできるが、商品としてユーザにアピールする形での展示になっているのかが疑わしい。【０００７】  そこで、陳列ケースから商品を出し、なおかつ店内でユーザが手の触れることのできる位置に展示し、なおかつ盗難への保安をさりげなく対処した展示用支持装置が求められていた。
【課題を解決するための手段】
【０００８】  そこで本願は、メガネや腕時計、携帯電話等のユーザが身に付け携帯する品に於いて、その要部を挟み込む部材を備えかつ、挟み込んだ状態をキーロックできる構成を考えた携帯品の展示用支持装置を提案する。挟み込みにあたっては、固定係止部材と、作動係止部材によって、携帯品の要部を挟み込むようにした。【０００９】  メガネの場合は、この挟み込む要部としてブリッジを考え、腕時計の場合は、ムーブを収納した外装部を考え、携帯電話の場合は、操作盤部を考えた。【００１０】  また、一度に複数個の携帯品を挟み込んで展示できるように装置を考えた。さらに店員がキーロックを外せば、ユーザが文字通り手に取ってみることもでき、身に付けることもできるように構成した。
【発明の効果】
【００１１】  本願発明の展示用支持装置を活用して、携帯品を展示すれば、従来高級品ゆえに陳列ケースにおかれていた商品が、ユーザの身近で見ることや、触れることができ、ユーザの購入意欲をかきたてることができ、販売促進に繋げることができる。また、キーロックで盗難防止措置がとられているため、保安上の問題もない。【００１２】  本発明では、携帯品の要部を挟み込む方法をとり、商品自体はその特徴がよくわかるように補足しているため、キーロックしても商品の特徴を見せるという点で損色がでないようにしている。【００１３】  ワンタッチで、展示した複数の商品を同時にキーロックできるようにしているため、その商品の取り出しや、設置についても面倒はない。【００１４】  高級品を店舗内のユーザが身近に見ることができ、なおかつ触れることのできる場所に置くことができるため、店舗の展示イメージの向上が計ることもできる。
【発明を実施するための最良の形態】
【００１５】  以下、本発明による具体的な実施例を図面で説明する。図１は本発明によるメガネを展示する展示用支持装置の一実施例図である。（２）はメガネ、（４）はメガネのテンプル、（６）はメガネレンズ、（８）はブリッジ、（１０）は固定係止部材、（１２）は可動係止部材、（１４）はロッド、（１６）は制御部材、（１８）は展示骨格部、（２０）は作動部材である。【００１６】  図２は、図１の固定係止部材（１０）を中心とした試作図である。図３は図１の作動部材（２０）の試作図であり、それぞれ図１と同一番号は同一機能を現す。【００１７】  図１、図２、及び図３によって、メガネ（２）を展示用支持装置に展示する時の機序を説明する。メガネ（２）のレンズ（６−１）とレンズ（６−２）を結合するブリッジ（８）を固定係止部材（１０）の凹部のへこみ部（２２）に懸架する。同時にメガネのテンプル（４）は左（４−１）、右（４−２）それぞれロッド（１４）の左（１４−１）、右（１４−２）の上に懸架し、ロッド（１４）先端に取り付けた球状の制御部材（１６）でテンプル（４）がロッド（１４）から落ちないようにしている。【００１８】  この固定係止部材（１０）の上に、メガネ（２）のブリッジ（８）を置いた上で、可動係止部材（１２）を図面上下に降ろし、固定係止部材（１０）と可動係止部材（１２）を組み合わせると、固定係止部材（１０）と可動係止部材（１２）を持ち上げることなく、メガネ（２）を取り外すことは不可能である。【００１９】  固定係止部材（１０）は、展示骨格部（１８）に溶接もしくは嵌合等で固定化し、可動係止部材（１２）は同時に可動部材（２０）に固定されている。それぞれ複数個取り付けられており、複数個メガネを展示支持できる。【００２０】  展示骨格部（１８）は、プレート板などに固定し、動かないようにしているため、メガネを懸架する固定係止部材（１０）は、固定されている。その上にメガネ（２）を懸架し、メガネ（２）のブリッジ（８）を挟み込む可動係止部材（１２）は、この展示骨格部（１８）に沿って上下に可動する可動部材（２０）に溶接等で固定しているため、可動部材（２０）と一緒に動く。そこでこの可動部材（２０）を下に降ろした状態で、キーロックできるようにしておけば、固定係止部材と可動係止部材に挟まれた複数のメガネは取り外しできなくなる。【００２１】  図４は、そのようにして複数個のメガネを展示することを可能にした展示用支持装置の全体図で、（２４）は、展示骨格部であるアルミポールである。図５はこのアルミポールの断面図で（２６）はアルミ本体、（２８）は第一の空隙部、（３０）は第二の空隙部である。【００２２】  アルミポール（２４）の本体（２６）は、ここでは上下、左右対称に加工し、アルミポール（２４）外側に開かれている空隙部（３０）は、図面上、上下に空いている。そして、この第一の空隙部（２８）には図１や図２で示した展示骨格部（１８）を挿入した上で固定する。その結果、図４で見るような形でアルミポール（２４）の間隙（３６）から第一の空隙部（２８）に挿入された展示骨格部（１８）に固定された固定係止部材（３２）が顔を出している。【００２３】  また、第二の空隙部（３０）には、第１図、第３図で示した可動部材（２０）を挿入し、展示骨格部（１８）の窓（３６）からのぞいた可動係止部材（３４）が、固定係止部材（３２）に懸架したメガネを挟み込めるようにしている。【００２４】  図４に示したアルミポールは、複数個のメガネを同時展示できるようにしているが、上下を少しずらして裏側でも同時に展示したり、横方向も展示することが可能であり、可動部材をキーロックできる構造や、一度下におろした可動部材を、上に持ち上げれば警報ランプが点灯するようにしておけば、盗難を防ぐことが可能である。【００２５】  こうした構造を取っているため本願発明による展示用支持装置を使用すれば、４〜５万以上する高級サングラスや数十万円するフロントのないメガネなどを、店舗中央にユーザが触れることのできる位置に展示ができ、また店舗の装飾性やファッション性を高める展示が可能となる。【００２６】  図６は、本願発明による別の実施例で、腕時計を携帯品とする展示装置の実施例図である。（３８）は腕時計、（４０）はベゼル、（４２）は時計のムーブを収納している外装ボディで、バンド（４３）との連結部も備えている。（４４）は展示装置の固定係止部材、（４６）は同じく固定係止部材、（４８）は可動係止部材、（５０）は展示骨格部、（５２）は可動部材である。【００２７】  ここでは、腕時計（３８）のバンド（４３）を一方の固定係止部材（４４）の間隔部（５４）に挿入し、一方やはりバンド（４３）を固定係止部材（４６）の切欠部（５６）から挿入し、図面のような位置にする。固定係止部材（４４）の間隔（５４）巾は、バンド（４３）を通すことのできる厚さにし、外装ボディ（４２）は通らないようにしているため腕時計（３８）はこの位置ではほとんど上下に動かない。【００２８】  その上で、可動係止部材（４８）を下に作動させ、固定係止部材（４６）の切り欠きをふさぎ、同時に腕時計（３８）が図面上右方向に動くのを遮断する。こうすることによって、腕時計は静止的に展示されると共に、この可動部材をキーロックすれば、盗難も防ぐことができる。【００２９】  腕時計は、５〜６万円から数十万円のものは、めずらしいことではない。この場合も高級品はケースの中にあり、ユーザからすれば、手に取って見なければおいそれと買うことができない商品である。買うかどうか分からないものをケースから出させて見るのも気にかかる。その意味で、本願による展示装置は、高級品をユーザが手に触れることのできるそばに展示し、購入するかどうかの判断を求めることになり、その意味でも画期的な発明である。【００３０】  図７は、本願の携帯品として携帯電話を想定した時の展示用支持装置の実施例図である。（６０）は携帯電話、（６２）は携帯電話の操作盤、（６４）は固定係止部材、（６６）も固定係止部材、（６８）は可動係止部材である。【００３１】  図７で、固定係止部材（６４）からは、充電用の端子（７０）が出ていて、携帯電話（６０）はこの充電用端子（７０）に挿入して、下方方向への動きを制御する。その一方で、上方方向は、固定係止部材（６６）と可動係止部材（６８）で挟み込むようにして固定する。【００３２】  ここでは充電用端子（７０）と結合しているため、表示（７２）で携帯電話を見ることや、操作性を確かめることもできる。従来では、新しいタイプの携帯電話が販売されてもそれに伴うその他の機能面などで、ユーザが従来使用していたものと見劣りしたりすることが間々あった。こうした展示をすれば、展示状態のまま、新機能やその他の機能を含め、ユーザが総合評価をすることができることになった。その分、店員が説明するのも省くことができる。【００３３】  また最近は、携帯電話の外装デザインに独自の工夫をこらし、携帯電話そのものより外装上の付加デザインの方が高価なものがあるが、そうした手作り感覚の完成品や、ユーザの求めに応じて外装を完成させる未完成品の展示も安心して行える。
【産業上の利用性】
【００３４】  以上、本願発明は、高級商品を店舖の陳列ケースからだし、ユーザが手に触れることのできる状態で身近に安心できる形で展示できるため、その産業上の利用効果は大きく、ここに示したものだけでなくブローチや首飾り、ｉｐｏｄ等と応用範囲は広い。
【００３５】  なお本願は、実施例に示した物に限定されないことは言うまでもない。
【図面の簡単な説明】
【００３６】
【図１】は、本発明によるメガネを展示する展示用支持装置の一実施例図である。
【図２】は、図１に示した固定係止部材を中心とした試作図である。
【図３】は、図１に示した可動係止部材の試作図である。
【図４】は複数個のメガネを同時に展示可能にした本発明による展示用支持装置の実施例図である。
【図５】は、図４で使用されたアルミポールの断面図である。
【図６】は、本発明による他の実施例で、腕時計を展示する展示用支持装置の実施例図。
【図７】は、本発明による他の実施例で、携帯電話を展示する展示用支持装置の実施例図。
【図１】
2010082406.tif 000003
【図２】
2010082406.tif 000004
【図３】
2010082406.tif 000005
【図４】
2010082406.tif 000006
【図５】
2010082406.tif 000007
【図６】
2010082406.tif 000008
【図７】
2010082406.tif 000009